(57)【要約】      （修正有）【課題】ろ過網を取り外し可能な装置を提供する。【解決手段】ろ過網取り外し可能な装置は食物調理器或いはコーヒーポットの裏に設置され、その中には一つのろ過網殻と一つのろ過網があり、前記ろ過網は取り外されるようにろ過網殻の裏に設置され、前記ろ過網には手提げ部が設置され、ユーザの手で持つことに役立つ。ろ過網がろ過網殻から取り外されることで、使用後、ろ過網を取り外して洗浄し、整備しておいて、消費者の洗浄または整備に便利にし、食物調理器或いはコーヒーポットの耐用年数を延長させる。【選択図】図１
0003150569.tif 000002
【実用新案登録請求の範囲】
【請求項１】
食物調理器或いはコーヒーポットの裏に設置され、その中には一つのろ過網殻と一つのろ過網があり、前記ろ過網は取り外されるようにろ過網殻の裏に設置されることを特徴とするろ過網取り外し可能な装置。
【請求項２】
前記ろ過網には手提げ部が設置され、ユーザの手で持つことに役立つようにしたことを特徴とする請求項1記載のろ過網取り外し可能な装置。
【請求項３】
前記ろ過網は回転でき、そして上下移動できるようにろ過網殻の裏に設置され；前記ろ過網殻には一つの周壁があり、前記周壁の内周にはエンボスが突き出て設置され；前記ろ過網の外周には溝が設置され、前記溝が軸方向に貫通し、エンボスがそれを上下方向に通り抜けられるようにしたことを特徴とする請求項2記載のろ過網取り外し可能な装置。
【請求項４】
前記ろ過網はエンボスの下に位置し、そして、前記溝はエンボスから外れているようにしたことを特徴とする請求項3記載のろ過網取り外し可能な装置。
【請求項５】
前記周壁の内周には複数個のエンボスが均一に突き出て設置され、前記エンボスを同一軸高さに位置するようにしたことを特徴とする請求項4記載のろ過網取り外し可能な装置。
【請求項６】
前記周壁の内周の軸方向には2列のエンボスが並び、各列のエンボスを同一軸高さに位置するようにしたことを特徴とする請求項4記載のろ過網取り外し可能な装置。
【請求項７】
その中にはまた一つのろ過網栓もあり、前記ろ過網栓は2列のエンボスの間に位置し、前記ろ過網は上列のエンボスの下に位置するようにしたことを特徴とする請求項6記載のろ過網取り外し可能な装置。
【請求項８】
前記ろ過網には一つのろ過網環と、それにろ過網環の下の内周と繋がっている一つのろ過シートが設置されるようにしたことを特徴とする請求項4〜7のいずれか１項に記載のろ過網取り外し可能な装置。
【請求項９】
前記溝はろ過網環に設置されるようにしたことを特徴とする請求項8記載のろ過網取り外し可能な装置。
【請求項１０】
前記手提げ部の両端をろ過網環に締め付けるようにしたことを特徴とする請求項8記載のろ過網取り外し可能な装置。
【請求項１１】
前記手提げ部の両端をろ過網シートに固定するようにしたことを特徴とする請求項8記載のろ過網取り外し可能な装置。
【考案の詳細な説明】
【技術分野】
【０００１】
本考案はろ過網付けの装置に関し、特に食物調理器或いはコーヒーポットの裏に含まれるろ過網取り外し可能な装置に関する。
【背景技術】
【０００２】
従来の食物調理器或いはコーヒーポットの殆どにはろ過網を取り付け、前記ろ過網は、全て食物調理器或いはコーヒーポットの裏に取り外さないままで固定される。ろ過網をその裏に設置し、そして取り外すことができないので、使用後、洗浄しにくく、詰まった後、具合が悪く、ろ過網の耐用年数を縮める恐れがあり、そして、食物調理器或いはコーヒーポットの耐用年数を縮める恐れがあるということで、従来の食物調理器或いはコーヒーポットは消費者の要望を満足させることがなかなかできない。
【考案の概要】
【考案が解決しようとする課題】
【０００３】
本考案の目的は、従来技術の食物調理器或いはコーヒーポットに使うろ過網がその裏に位置し、取り外すことができないという問題を克服して、一種のろ過網取り外し可能な装置を提供することである。
【課題を解決するための手段】
【０００４】
本考案の目的を実現するために、ろ過網取り外し可能な装置は食物調理器或いはコーヒーポットの内部に設置され、その中には一つのろ過網殻と一つのろ過網があり、前記ろ過網は取り外されるようにろ過網殻の裏に設置される。
【０００５】
本考案の一つのふさわしい実施例には、前記ろ過網には手提げ部が設置され、ユーザの手で持つことに役立つ。
【０００６】
本考案の一つのふさわしい実施例には、前記ろ過網は回転でき、そして上下移動できるようにろ過網殻の裏に設置され；前記ろ過網殻には一つの周壁があり、前記周壁の内周にはエンボスが突き出て設置され；前記ろ過網の外周には溝が設置され、前記溝が軸方向に貫通し、エンボスがそれを上下方向に通り抜けられる。
【０００７】
本考案の一つのふさわしい実施例には、前記ろ過網はエンボスの下に位置し、そして、前記溝はエンボスから外れている。
【０００８】
本考案の一つのふさわしい実施例には、前記周壁の内周の円周には複数個のエンボスが均一に突き出て設置され、前記エンボスは同一軸高さに位置する。
【０００９】
本考案の一つのふさわしい実施例には、前記周壁の内周の軸方向に2列のエンボスが並び、各列のエンボスは同一軸高さに位置する。
【００１０】
本考案の一つのふさわしい実施例には、その中にはまた一つのろ過網栓もあり、前記ろ過網栓は2列のエンボスの間に位置し、前記ろ過網は上列のエンボスの下に位置する。
【００１１】
本考案の一つのふさわしい実施例には、前記ろ過網には一つのろ過網環と、ろ過網環の下の内周とつながっている一つのろ過シートが設置される。
【００１２】
本考案の一つのふさわしい実施例には、前記溝はろ過網環に設置される。
【００１３】
本考案の一つのふさわしい実施例には、前記手提げ部の両端をろ過網環に締め付ける。
【００１４】
本考案の一つのふさわしい実施例には、前記手提げ部の両端をろ過網シートに固定する。
【００１５】
本考案は従来技術と比べると：ろ過網がろ過網殻から取り外されることで、使用後、ろ過網を取り外して洗浄し、整備しておいて、消費者の洗浄または整備に便利にし、食物調理器或いはコーヒーポットの耐用年数を延長させることから、消費者の要望を満足させることができる。装置が働いている最中、前記ろ過網はエンボスの下に位置し、溝はエンボスから外れており；そして、ろ過網を回転し、溝をエンボスと精確に合わせてから、ろ過網を楽に取り出すことができる。同じように、洗浄した後、精確に合わせて取り付けてから、回転し、ろ過網を設置する。前記ろ過網栓を2列のエンボスの間に設置し、前記ろ過網を上列のエンボスの下に設置するので、前記ろ過網栓をろ過網と合わせて、コーヒーポット一杯分のろ過網になり、コーヒーポット一杯分のろ過網を節約することができ、別のユーザー要望を満足させる。前記手提げ部の両端をろ過網環に締め付け、装置の使用中、ろ過シートと抵抗接続し、ろ過網の働きに影響が及ばない。前記手提げ部の両端をろ過網シートに固定し、占有場所が小さく、ろ過網の働きに全く影響が及ばない。
【図面の簡単な説明】
【００１６】
【図１】本考案の一つのふさわしい実施例のろ過網付き装置の立体分解図を示す。
【図２】本考案の一つのふさわしい実施例のろ過網付き装置の断面図を示す。
【図３】本考案の一つのふさわしい実施例のろ過網殻の立体概略図を示す。
【図４】本考案のまた一つのふさわしい実施例のろ過網の立体概略図を示す。
【考案を実施するための形態】
【００１７】
以下は図を参考して、本考案の具体的な実施例を説明する。
【００１８】
ろ過網取り外し可能な装置は食物調理器或いはコーヒーポットの内部に設置され、図1および図2に示すように、その中には一つのろ過網殻100と一つのろ過網200がある。
【００１９】
図3に示すように、前記ろ過網殻100には一つの周壁があり、前記周壁の内周の軸方向には上下2列のエンボス110が突き出て並び、前記2列のエンボス100の構造、配置は同じである。前記各列のエンボス110には四つのエンボス110が同一軸高さの周壁に均一に設置される。前記ろ過網殻100の孔は“0.4〜0.7mm”である。
【００２０】
図1に示すように、前記ろ過網200には一つのろ過網環210と、ろ過網環210の下の内周とつながっている一つのろ過シート220と、一つの手提げ部230が設置される。前記ろ過シート220の孔は“0.3〜0.6mm”である。前記ろ過網環210の外周には四つの溝211が設置され、前記溝211がエンボス110と対応して設置され、前記溝が軸方向に貫通し、それにエンボスがそれを上下方向に通り抜けられる。前記手提げ部230の両端をろ過網環210の一直径の両端に締め付ける。
【００２１】
前記ろ過網200は回転でき、そして上下移動できるようにろ過網殻の裏に設置され；図1と図２に示すように、組み立て時、溝211をエンボス110と精確に合わせてから、そしてろ過網200を移動し、エンボス110の下に位置させ、ろ過網200を回転し、溝211をエンボス110から外し、前記ろ過網200の周辺をエンボス110で制限させ、上へ移動することを制限することができる。取り外すとき、先ず、ろ過網200を回転し、溝211をエンボス110と精確に合わせてから、ろ過網200をエンボス110の上まで移動させるとよい。
【００２２】
もう一つのふさわしい実施例には、図4に示すように、前記ふさわしい実施例と違って、前記手提げ部230の両端をろ過網シートに固定する。
【００２３】
第三のふさわしい実施例には、前記ふさわしい実施例と違って、その中にはまた一つのろ過網栓もあり、前記ろ過網栓は2列のエンボス110の間に位置し、前記ろ過網200は上列のエンボス110の下に位置する。前記ろ過網栓はシリカゲル、或いはコルク、或いは食物用プラスチックで製造される。
【００２４】
以上のように、本考案でただ一つの好ましい実施例を開示したが、本考案のデザインアイディアはこれに限定されるものではなく、当業者が、本考案のアイディアと範囲に基づいて色々変更することができ、それらは本考案の請求項の保護範囲から排除されるものではない。
【図１】
0003150569.tif 000003
【図２】
0003150569.tif 000004
【図３】
0003150569.tif 000005
【図４】
0003150569.tif 000006